(57)【要約】【課題】側壁パネルの強度の劣化を防止することができるエレベータかご室収納装置を得る。【解決手段】断面コ字状に形成され、開口部３１１がエレベータかごの内側を向くように配置された側壁パネル３１と、側壁パネル３１に設けられ、開口部３１１を塞ぐ閉位置と開口部３１１が開く開位置との間で変位する扉４と、扉４の位置が閉位置である場合に、扉４と係合する係合位置と扉４との係合が解除される解錠位置との間で変位する錠装置５２と、錠装置５２を変位させる錠駆動装置５１と、錠駆動装置５１の駆動を制御する錠駆動制御装置５３とを備え、錠駆動制御装置５３は、錠装置５２の位置を解錠位置にすることを示す解錠信号が入力された場合に、錠装置５２の位置が解錠位置となるように錠駆動装置５１を制御する。【選択図】図１
2015074529.tif 000002
【特許請求の範囲】
【請求項１】
断面コ字状に形成され、開口部がエレベータかごの内側を向くように配置された側壁パネルと、
前記側壁パネルに設けられ、前記開口部を塞ぐ閉位置と前記開口部が開く開位置との間で変位する扉と
を備えたことを特徴とするエレベータかご室収納装置。
【請求項２】
前記扉の位置が前記閉位置である場合に、前記扉と係合する係合位置と前記扉との係合が解除される解錠位置との間で変位する錠装置と、
前記錠装置を変位させる錠駆動装置と、
前記錠駆動装置の駆動を制御する錠駆動制御装置と
をさらに備え、
前記錠駆動制御装置は、前記錠装置の位置を前記解錠位置にすることを示す解錠信号が入力された場合に、前記錠装置の位置が前記解錠位置となるように前記錠駆動装置を制御することを特徴とする請求項１に記載のエレベータかご室収納装置。
【請求項３】
前記錠駆動装置は、前記錠装置の位置が前記解錠位置となるように前記錠装置を付勢するばね部材と、通電されることによって、前記ばね部材の付勢力に逆らって前記錠装置の位置を前記係合位置にする電磁石とを有していることを特徴とする請求項２に記載のエレベータかご室収納装置。
【請求項４】
断面コ字状に形成され、開口部がエレベータかごの外側を向くように配置された側壁パネルを備えたエレベータ装置にエレベータかご室収納装置を設置するエレベータかご室収納装置の設置方法であって、
前記開口部が前記エレベータかごの内側を向くように前記側壁パネルを配置する側壁パネル配置工程と、
前記側壁パネルの開口部を塞ぐ閉位置と前記開口部が開く開位置との間で変位する扉を前記側壁パネルに取り付ける扉取付工程と
を備えたことを特徴とするエレベータかご室収納装置の設置方法。
【請求項５】
前記側壁パネル配置工程には、既設の前記側壁パネルを反転させる側壁パネル反転工程が含まれることを特徴とする請求項４に記載のエレベータかご室収納装置の設置方法。
【発明の詳細な説明】
【技術分野】
【０００１】
この発明は、緊急キットなどを収納するエレベータかご室収納装置およびその設置方法に関する。
【背景技術】
【０００２】
従来、断面コ字状に形成され、開口部がかごの外側を向くように配置された側壁パネルに設置されるエレベータかご室収納装置であって、側壁パネルにおけるかごの内側を向く面に収納庫用開口部が形成されており、側壁パネルの裏面に設けられ、収納庫用開口部から、内部に収納された避難用具が出し入れ可能な収納庫と、側壁パネルに設けられ、収納庫用開口部を開閉する扉とを備えたエレベータかご室収納装置が知られている（例えば、特許文献１参照）。
【先行技術文献】
【特許文献】
【０００３】
【特許文献１】特開２００７−１７６６８５号公報
【発明の概要】
【発明が解決しようとする課題】
【０００４】
しかしながら、側壁パネルに収納庫用開口部を形成しなければならず、側壁パネルの強度が劣化してしまうという問題点があった。
【０００５】
この発明は、側壁パネルの強度の劣化を防止することができるエレベータかご室収納装置およびその設置方法を提供するものである。
【課題を解決するための手段】
【０００６】
この発明に係るエレベータかご室収納装置は、断面コ字状に形成され、開口部がかごの内側を向くように配置された側壁パネルと、側壁パネルに設けられ、開口部を塞ぐ閉位置と開口部が開く開位置との間で変位する扉とを備えている。
【発明の効果】
【０００７】
この発明に係るエレベータかご室収納装置によれば、断面コ字状に形成され、開口部がかごの内側を向くように配置された側壁パネルと、側壁パネルに設けられ、開口部を塞ぐ閉位置と開口部が開く開位置との間で変位する扉とを備えているので、側壁パネルの強度の劣化を防止することができる。
【図面の簡単な説明】
【０００８】
【図１】この発明の実施の形態１に係るエレベータかごを示す平面図である。
【図２】図１の電気錠を示す構成図である。
【発明を実施するための形態】
【０００９】
実施の形態１．
図１はこの発明の実施の形態１に係るエレベータかごを示す平面図である。エレベータかごは、かご床１と、かご床１に対して立てられた一対の横壁２と、かご床１に対して立てられた後壁３と、後壁３に設けられた扉４と、扉４を施錠する電気錠５とを備えている。後壁３、扉４および電気錠５からエレベータかご室収納装置６が構成されている。
【００１０】
一対の横壁２は、エレベータかごの幅方向に離れて配置されている。それぞれの横壁２は、断面コ字状に形成されている。それぞれの横壁２は、開口部２１がエレベータかごの外側を向くように配置されている。
【００１１】
後壁３は、幅方向に並べられた一対の側壁パネル３１を有している。それぞれの側壁パネル３１は、断面コ字状に形成されている。それぞれの側壁パネル３１は、開口部３１１がエレベータかごの内側を向くように配置されている。
【００１２】
また、エレベータかごは、側壁パネル３１と横壁２とを固定するボルト７およびナット８と、側壁パネル３１と側壁パネル３１とを固定するボルト９およびナット１０とをさらに備えている。
【００１３】
ナット８は、横壁２の内側で横壁２に固定されている。ボルト７は、側壁パネル３１の内側からナット８に挿入する。これにより、作業者は、エレベータかごの内側で側壁パネル３１と横壁２との固定作業を行うことができる。
【００１４】
扉４は、それぞれの側壁パネル３１に対応して配置されている。扉４は、開口部３１１を開閉する扉本体４１と、扉４と側壁パネル３１とに渡って設けられた蝶番４２とを有している。扉本体４１は、蝶番４２によって、開口部３１１を塞ぐ閉位置と、開口部３１１が開く開位置との間で変位する。
【００１５】
図２は図１の電気錠５を示す構成図である。電気錠５は、側壁パネル３１（図１）に設けられた錠駆動装置５１と、錠駆動装置５１によって変位する錠装置５２と、錠駆動装置５１の駆動を制御する錠駆動制御装置５３と、扉４に設けられ、錠装置５２に係合される被係合部５４と、錠装置５２に設けられたストッパ５５とを有している。
【００１６】
錠装置５２は、上下方向に移動可能となっている。錠装置５２は、錠駆動装置５１が駆動することによって、被係合部５４と係合する施錠位置と、被係合部５４との係合が解除される解錠位置との間で変位する。
【００１７】
錠駆動装置５１は、電磁石から構成されている。錠駆動装置５１は、外部から電流が供給されることによって、錠装置５２を上方向に移動させて、錠装置５２を施錠位置に変位させ、電流の供給が停止されることによって、錠装置５２が自重によって下方に移動して、錠装置５２を解錠位置に変位させる。
【００１８】
錠駆動制御装置５３は、エレベータ制御盤（図示せず）との間で通信可能となっている。錠駆動制御装置５３には、エレベータかごに閉じ込め異常などが発生した場合に、錠装置５２の位置を解錠位置にすることを示す解錠信号が入力される。錠駆動制御装置５３は、エレベータ制御盤から解錠信号が入力された場合に、錠装置５２の位置が解錠位置となるように、錠駆動装置５１を制御する。また、錠駆動制御装置５３は、解錠信号が入力されていない場合に、錠装置５２の位置が施錠位置となるように、錠駆動装置５１を制御する。
【００１９】
ストッパ５５は、錠装置５２の位置が施錠位置の場合に、被係合部５４の下面に当接する。これにより、錠装置５２の上方向への移動が規制される。
【００２０】
それぞれの側壁パネル３１の内側には、食料、飲料などの物資（収納対象物）１１と、物資１１を側壁パネル３１に括り付けるバンド１２とが設けられている。錠装置５２の位置が解錠位置の場合に、利用者が扉４を閉位置から開位置に変位させることによって、利用者は、物資１１を取得することができる。
【００２１】
次に、エレベータかご室収納装置６の設置方法について説明する。まず、開口部３１１がエレベータかごの内側を向くように側壁パネル３１をかご床１に配置する（側壁パネル配置工程）。
【００２２】
その後、扉４を側壁パネル３１に取り付け（扉取付工程）、さらに、側壁パネル３１および扉４に電気錠５を取り付ける（電気錠取付工程）。以上により、エレベータかご室収納装置６の設置が終了する。エレベータかご室収納装置６の設置が終了した後に、側壁パネル３１の内側に必要な物資１１を設置する。
【００２３】
以上説明したように、この発明のエレベータかご室収納装置６によれば、断面コ字状に形成され、開口部３１１がエレベータかごの内側を向くように配置された側壁パネル３１と、側壁パネル３１に設けられ、開口部３１１を塞ぐ閉位置と開口部３１１が開く開位置との間で変位する扉４とを備えているので、側壁パネル３１の強度の劣化を防止することができる。また、側壁パネル３１の内側を収納スペースとするので、エレベータかごのデッドスペースを低減させることができる。
【００２４】
また、エレベータかご室収納装置６は、扉４の位置が閉位置である場合に、扉４と係合する係合位置と扉４との係合が解除される解錠位置との間で変位する錠装置５２と、錠装置５２を変位させる錠駆動装置５１と、錠駆動装置５１の駆動を制御する錠駆動制御装置５３とを備え、錠駆動制御装置５３は、錠装置５２の位置を解錠位置にすることを示す解錠信号が入力された場合に、錠装置５２の位置が解錠位置となるように錠駆動装置５１を制御するので、外部から解錠信号が入力されることによって、錠装置５２の位置を解錠位置にすることができる。
【００２５】
また、この発明の実施の形態１に係るエレベータかご室収納装置６の設置方法によれば、開口部３１１がエレベータかごの内側を向くように側壁パネル３１を配置する側壁パネル配置工程と、側壁パネル３１の開口部３１１を塞ぐ閉位置と開口部３１１が開く開位置との間で変位する扉４を側壁パネル３１に取り付ける扉取付工程とを備えているので、側壁パネル３１の強度の劣化を防止することができる。
【００２６】
なお、上記実施の形態１では、新規の側壁パネル３１を配置する側壁パネル配置工程を備えたエレベータかご室収納装置６の設置方法について説明したが、既設の側壁パネル３１を再利用して配置する側壁パネル配置工程を備えたエレベータかご室収納装置の設置方法であってもよい。この場合、側壁パネル配置工程には、既設の側壁パネル３１を反転させる側壁パネル反転工程が含まれる。
【００２７】
また、上記実施の形態１では、後壁３の側壁パネル３１を備えたエレベータかご室収納装置６の構成について説明したが、これに限らず、例えば、横壁２、袖壁（図示せず）の側壁パネル３１を備えたエレベータかご室収納装置であってもよい。この場合、横壁２、袖壁に物資１１が収納される。また、上記実施の形態１では、扉本体４１が開口部３１１の全領域を開閉する構成について説明したが、扉本体４１が開口部３１１の一部を開閉する構成であってもよい。この場合、開口部３１１における扉本体４１が開閉する部分以外の部分を塞ぐ板部材が側壁パネル３１に取り付けられる。また、上記実施の形態１では、一対の側壁パネル３１のそれぞれについて、開口部３１１がエレベータかごの内側を向くように配置される構成について説明したが、何れか一方の側壁パネル３１についてのみ、開口部３１１がエレベータかごの内側を向くように配置される構成であってもよい。
【００２８】
また、上記実施の形態１では、錠駆動装置５１への電流の供給が停止されることによって、錠装置５２が自重によって下方に移動して、錠装置５２の位置が解錠位置となる構成について説明したが、これに限らず、錠駆動装置５１は、錠装置５２の位置が解錠位置となるように錠装置５２を付勢するばね部材と、通電されることによって、ばね部材の付勢力に逆らって錠装置の位置を係合位置にする電磁石とを有している構成であってもよい。これにより、錠装置５２の移動方向を上下方向に限らず、その他の方向とすることができる。
【００２９】
また、上記実施の形態１では、側壁パネル３１の内側に収納される収納対象物として、食料、飲料などの物資１１を例に説明したが、これに限らず、例えば、緊急キット、避難用具、救出用梯子などであってもよい。
【符号の説明】
【００３０】
１  かご床、２  横壁、３  後壁、４  扉、５  電気錠、６  エレベータかご室収納装置、７  ボルト、８  ナット、９  ボルト、１０  ナット、１１  物資（収納対象物）、１２  バンド、２１  開口部、３１  側壁パネル、４１  扉本体、４２  蝶番、５１  錠駆動装置、５２  錠装置、５３  錠駆動制御装置、５４  被係合部、５５  ストッパ、３１１  開口部。
【図１】
2015074529.tif 000003
【図２】
2015074529.tif 000004